(57)【要約】【課題】簡単な構成で、消去ヘッドを短時間で冷却可能なカード処理装置を提供する。【解決手段】内部にサーミスタが設けられた消去ヘッドと、その消去ヘッドに対向して配置された搬送ローラと、消去ヘッドを搬送ローラに対して移動する移動手段とを設けたリライタブルカード処理装置において、スイッチ或いはホスト装置からクリーニング処理が指示された場合に消去ヘッドをプラテンに圧接し、さらにプラテンを回転させることで、消去ヘッドの熱を搬送ローラに伝達させて消去ヘッドを冷却する。【選択図】      図１
2004188922.tif 000002
【特許請求の範囲】
【請求項１】
ヘッド温度を検出する温度検出手段を有するとともに加熱によりカードに印字または消去を行うサーマルヘッドと、
前記サーマルヘッドに対向して設けられた搬送ローラと、
前記サーマルヘッドを前記搬送ローラ方向に移動する移動手段とを備えたカード処理装置において、
前記温度検出手段が検出したヘッド温度が所定値以上であるか否かを判断する判断手段を備え、
前記判断手段が所定値以上であると判断した場合に前記サーマルヘッドを前記搬送ローラ方向に移動して前記サーマルヘッドと前記搬送ローラとを接触させることを特徴とするカード処理装置。
【請求項２】
前記搬送ローラを回転駆動する駆動手段と、
前記駆動手段を制御する駆動制御手段とをさらに備え、
前記判断手段がヘッド温度が所定値以上であると判断した場合に、前記サーマルヘッドを前記搬送ローラに接触させるとともに前記駆動制御手段は前記搬送ローラを回転駆動することを特徴とする請求項１記載のカード処理装置。
【請求項３】
ヘッド温度を検出する温度検出手段を有するとともに加熱によりカードに印字または消去を行うサーマルヘッドと、
前記温度検出手段が検出したヘッド温度が所定値以上であるか否かを判断する判断手段と、
前記サーマルヘッドの冷却を行う冷却手段と、
印字または消去を行う通常処理モードと、
前記サーマルヘッドのクリーニングを行うクリーニングモードとを備え、
前記通常処理モードから前記クリーニングモードに移行した場合に前記判断手段による判断を実施し、前記判断手段が所定値以上であると判断した場合に前記冷却手段による冷却動作を実行することを特徴とするカード処理装置。
【請求項４】
ヘッド温度を検出する温度検出手段を有するとともに加熱によりカードに印字または消去を行うサーマルヘッドと、
前記温度検出手段が検出したヘッド温度が所定値以上であるか否かを判断する判断手段と、
前記サーマルヘッドの冷却を行う冷却手段と、
カバーの開閉を検出するカバー検出手段と、
前記カバー検出手段がカバーの開状態を検出した場合に前記判断手段による判断を実施し、前記判断手段が所定値以上であると判断した場合に前記冷却手段による冷却動作を実行することを特徴とするカード処理装置。
【発明の詳細な説明】
【０００１】
【発明の属する技術分野】
本発明は、カードに印字または印字の消去処理を処すカード処理装置に関する。
【０００２】
【従来の技術】
カード処理装置は、リライタブルカードをカード挿入口から取り込んで消去用のサーマルヘッドと当接させて印字の消去を行った後、印字用のサーマルヘッドにより所定の印字を行い、取込方向と逆方向に搬送してカード挿入口から排出する構成が一般的である。消去及び印字は、いずれもリライタブルカードに熱を加える事で行われる。消去温度と印字（発色）温度とは、リライタブルカードに使用される発色部材によって異なる。一般的に使用されているロイコ方式の発色部材を用いた場合、消去温度は約１６０℃であり、発色温度は約２２０℃である。発色部材は、一旦消去または発色温度に達した後は、新たに消去または発色温度以上の熱を加えなければその発色状態を維持する為、印字又は消去されたリライタブルカードは次に処理を施すまでその印字状態を維持する。
【０００３】
消去用のサーマルヘッドには、サーミスタと１本の発熱体とが設けられている。消去処理時にはサーミスタで検出されたヘッド温度に従い、発熱体に通電することでサーマルヘッドを所定の温度に加熱維持する。また、印字用のサーマルヘッドは、その幅方向にドット単位で複数の発熱素子を有する。印字処理時にはカードを搬送しながらこれらの発熱素子を選択的に発熱させることで所望の印字を実行する。
【０００４】
ところで、カード処理装置では、複数種類のリライタブルカード（発色部材）に対応したいといった要求がある。その場合、処理温度の高いリライタブルカードの次に連続して処理温度の低いリライタブルカードの処理を実施しようとすると、サーマルヘッドが低い方の処理温度未満になるまで待たないと次のリライタブルカードに処理ができないといった問題があった。
【０００５】
これに対して、サーマルヘッドを冷却する為の特別な冷却部材を設け、これを印字の直前にサーマルヘッドに接触させることで冷却する構成がある（例えば、特許文献１参照）。
【０００６】
【特許文献１】
特開２００１−２３９６８８号公報
【発明が解決しようとする課題】
【０００７】
しかしながら、冷却する為に特別な冷却部材を設けることで、カード処理装置が大型化し、またカード処理装置のコストが高くなるといった問題がある。
【０００８】
また、冷却期間中に冷却部材とサーマルヘッドとの接触位置は変わらない為、冷却部材のサーマルヘッドとの接触部が加熱されて、冷却時間の増加とともに冷却効果が薄れてくるといった問題もある。
【０００９】
また、従来のカード処理装置では、サーマルヘッドの冷却を印字前にしか実施していない。しかし、カード処理装置は、サーマルヘッドに付着したゴミや埃を除去する為にクリーニングカードを用いてクリーニングを行う場合もある。この場合、サーマルヘッド温度が高いままクリーニングを実施すると、サーマルヘッドの熱によってカード表面のクリーニング部材に悪影響を与えてしまったり、クリーニングカードに塗布されたクリーニング液が熱によって蒸発してしまうといった問題がある。
【００１０】
さらに、装置内でリライタブルカードの搬送不良が発生した場合などは、サーマルヘッド温度が低下するまで使用者がメンテナンス作業を行えない為、作業性が悪いといった問題がある。
【００１１】
本発明はこの様な点に鑑み改良したものであり、その目的とするところは、簡単な構成でサーマルヘッドの冷却を早めて、次の処理を迅速に行うことが可能なリライタブルカード処理装置を提供することにある。
【課題を解決するための手段】
【００１２】
本発明のカード処理装置は、ヘッド温度を検出する温度検出手段を有するとともに加熱によりカードに印字または消去を行うサーマルヘッドと、前記サーマルヘッドに対向して設けられた搬送ローラと、前記サーマルヘッドを前記搬送ローラ方向に移動する移動手段とを備えたカード処理装置において、前記温度検出手段が検出したヘッド温度が所定値以上であるか否かを判断する判断手段を備え、前記判断手段が所定値以上であると判断した場合に前記サーマルヘッドを前記搬送ローラ方向に移動して前記サーマルヘッドと前記搬送ローラとを接触させることを特徴とする。
【００１３】
本発明に従えば、冷却の為の特別な部材を追加することなくサーマルヘッドの冷却を迅速に行うことが可能になり、装置のコスト上昇や小型化が図れる。
【００１４】
また、本発明のカード処理装置は、前記搬送ローラを回転駆動する駆動手段と、前記駆動手段を制御する駆動制御手段とをさらに備え、前記判断手段がヘッド温度が所定値以上であると判断した場合に、前記サーマルヘッドを前記搬送ローラに接触させるとともに前記駆動制御手段は前記搬送ローラを回転駆動することを特徴とする。
【００１５】
本発明に従えば、搬送ローラ全体で熱を吸収出来るので、冷却効果をよりいっそう高めることが可能になるばかりでなく、搬送ローラを傷めることがない。
【００１６】
また、本発明のカード処理装置は、ヘッド温度を検出する温度検出手段を有するとともに加熱によりカードに印字または消去を行うサーマルヘッドと、前記温度検出手段が検出したヘッド温度が所定値以上であるか否かを判断する判断手段と、前記サーマルヘッドの冷却を行う冷却手段と、印字または消去を行う通常処理モードと、前記サーマルヘッドのクリーニングを行うクリーニングモードとを備え、前記通常処理モードから前記クリーニングモードに移行した場合に前記判断手段による判断を実施し、前記判断手段が所定値以上であると判断した場合に前記冷却手段による冷却動作を実行することを特徴とする。
【００１７】
本発明に従えば、クリーニングをカードの損傷やクリーニング液の蒸発を抑制することが可能になり、またクリーニング効果を損なうことなく迅速にクリーニングが行うことが可能になる。
【００１８】
また、本発明のカード処理装置は、ヘッド温度を検出する温度検出手段を有するとともに加熱によりカードに印字または消去を行うサーマルヘッドと、前記温度検出手段が検出したヘッド温度が所定値以上であるか否かを判断する判断手段と、前記サーマルヘッドの冷却を行う冷却手段と、カバーの開閉を検出するカバー検出手段と、前記カバー検出手段がカバーの開状態を検出した場合に前記判断手段による判断を実施し、前記判断手段が所定値以上であると判断した場合に前記冷却手段による冷却動作を実行することを特徴とする。
【００１９】
本発明に従えば、使用者がカバーを開けることでサーマルヘッドの冷却が実行される為、使用者の作業性を向上することが可能になる。
【発明の実施の形態】
【００２０】
以下、図面を参照して本発明の一実施形態を説明する。図１は本発明の一実施例を示すカード処理装置の主要部を表す側断面図であり、図２はその電気的構成を表すブロック図である。先ず、主に図１を使用してカード処理装置の主要部の構成を説明する。カード処理装置は、下側ベース１と上側ベース２と外装カバー３とメカ部４とによって構成されている。この下側ベース１と上側ベース２とは樹脂成形品により構成されて、上側ベース２に設けられた図示しない爪が下側ベースに嵌め込まれることで下側ベース１と上側ベース２とが結合している。上側ベース２の一端部には外装ヒンジ５が設けられている。外装カバー３は、外装ヒンジ５を中心として上側ベース２に対して回動可能で、図１において実線で示した閉位置と破線で示した開位置との間で移動可能に構成されている。また、外装カバー３には突起３ａが設けられており、上側ベース２には外装カバースイッチ６が取り付けられている。そして、外装カバー３が閉位置にある時、突起３ａは外装カバースイッチ６を押下する。なお、外装カバー３が閉位置に位置している時は、爪部３ｂの作用により外装カバー３は上側ベース２に係合される。
【００２１】
カード処理装置の一端部には、リライタブルカードを挿入するための挿入口１０が形成されている。挿入口１０から挿入されたカードは、当該カード処理装置内に取り込まれ、メカ部４に形成された搬送路１１を奥側（図１において右側）に搬送された後、消去と印字処理を施されながら挿入口１０方向に搬送されて排出される。搬送路１１にはリライタブルカードの幅方向に図示しない側壁が立設されている。リライタブルカードは、搬送路１１において側壁によって幅方向を規制されて搬送される。
【００２２】
メカ部４は、フレーム１２とメカカバー１３とから構成され、フレーム１２の一端部にはメカヒンジ１４が設けられている。メカカバー１３は、メカヒンジ１４を中心としてフレーム１２に対して回動可能である。また、フレーム１２にはメカカバースイッチ１５が取り付けられている。メカカバー１３が図１の閉位置にある時、メカカバー１３はメカカバースイッチ１５を押下する。メカカバー１３を回動し、搬送路１１を開放した状態を図３に示す。リライタブルカードの搬送不良が発生した場合、使用者は外装カバー３とメカカバー１３とを順に回動して図３の状態にすることで、リライタブルカードを取り除くことが可能になる。
【００２３】
フレーム１２には、挿入口１０側から順に第１搬送ローラ２０,第２搬送ローラ２１，第３搬送ローラ２２，第４搬送ローラ２３がカードの長さより短い所定の間隔をおいて配列されている。各搬送ローラは、適度な摩擦を生じさせる円筒形状のゴム製であって、搬送路１１に直交して回動自在に支持された各駆動軸２４，２５，２６，２７にそれぞれ固着されており、駆動軸とともに回転する。各搬送ローラは各駆動軸と図示しない歯車とを介して搬送モータ２８に接続されており、搬送モータ２８の回転に従い正逆回転する。
【００２４】
第１搬送ローラ２０と第４搬送ローラ２３の上方には、各搬送ローラに対向する位置に従動ローラ２９，３０が設けられている。従動ローラ２９，３０は、メカカバー１３に回転自在に保持されており、各搬送ローラが回転すると、リライタブルカードを各搬送ローラとの間で挟み込み、挿入口あるいは奥側に搬送する。
【００２５】
第２搬送ローラ２１上方には、印字用のサーマルヘッドである印字ヘッド４０が第１揺動プレート４１に取り付けられている。印字ヘッド４０は、幅方向にドット単位で配列された複数の発熱素子と温度検出用のサーミスタとを有する。印字処理を実施する場合は、搬送ローラによってリライタブルカードを搬送しながら、印字データに従って選択的に発熱素子を発熱させることで所望の印字を施す。第１揺動プレート４１は、メカカバー１３に固定された第１中心軸４２を中心に回転可能であり、図示しないバネによって図１において反時計回り方向に常に付勢されている。第１揺動プレート４１の揺動端には、第１揺動プレート４１の反時計回り方向への回転を規制する第２揺動プレート４３が接触している。第２揺動プレート４３は、メカカバー１３に固定された第２中心軸４４を中心に回転可能であり、図１において時計回り方向への回転を印字ヘッドカム４５によって規制されている。
【００２６】
印字ヘッドカム４５は、フレーム１２に固定された印字ヘッドカムモータ４６に取り付けられており、印字ヘッドカムモータ４６の回転に従い印字ヘッドカム軸４７を中心として回転する。フレーム１２の印字ヘッドカム４５近傍には、印字ヘッドカムセンサ４８が設けられている。印字ヘッドカム４５を回転駆動することで、印字ヘッド４０は第２搬送ローラ２１と接離する方向に揺動する。この時、印字ヘッドカムセンサ４８によって印字ヘッドカム４５の回転角度を検出することで、印字ヘッド４０と第２搬送ローラ２１とが図示しないバネの作用により圧接する状態と離間した状態（図１）とを選択することが可能になる。
【００２７】
第３搬送ローラ２２の上方には、消去用のサーマルヘッドである消去ヘッド５０が第３揺動プレート５１に取り付けられている。消去ヘッド５０の内部には、サーミスタと１本の発熱体とが設けられている。消去処理を実施する場合は、搬送ローラによってリライタブルカードを搬送しながら、発熱体を発熱させることで印字を消去する。第３揺動プレート５１は、メカカバー１３に固定された第３中心軸５２を中心に回転可能であり、図示しないバネによって図１において反時計回り方向に常に付勢されている。第３揺動プレート５１は、図１において反時計回り方向への回転を消去ヘッドカム５３によって規制されている。
【００２８】
消去ヘッドカム５３は、フレーム１２に固定された消去ヘッドカムモータ５４に取り付けられており、消去ヘッドカムモータ５４の回転に従い消去ヘッドカム軸５５を中心として回転する。フレーム１２の消去ヘッドカム５３近傍には、消去ヘッドカムセンサ５６が設けられている。消去ヘッドカム５３を回転駆動することで、消去ヘッド５０は第３搬送ローラ２２と接離する方向に揺動する。この時、消去ヘッドカムセンサ５６によって消去ヘッドカム５３の回転角度を検出することで、消去ヘッド５０と第３搬送ローラ２２とが図示しないバネの作用により圧接する状態と離間した状態（図１）とを選択することが可能になる。
【００２９】
次に図２を用いて本発明のカード処理装置の電気的構成を説明する。
カード処理装置の制御部であるＣＰＵ６０には、書換可能な揮発性記憶装置であるＲＡＭ６１、不揮発性記憶装置であるＲＯＭ６２、ホストコンピュータ１００に対する入出力部であるＩ／Ｆ６３、メカ部やセンサなどの周辺回路との間でデータを送受する入出力回路であるＩ／Ｏ６４などが接続される。Ｉ／Ｏ６４には、印字ヘッド４０と、消去ヘッド５０と、搬送モータ２８と、印字ヘッドカムモータ４６と、消去ヘッドカムモータ５４と、カードセンサ６５と、印字ヘッドカムセンサ４８と、消去ヘッドカムセンサ５６と、外装カバースイッチ６と、メカカバースイッチ１５と、操作スイッチ６６とが接続されている。ＣＰＵ６０は、ホストからＩ／Ｆ６３を介して受信した印字データや、各センサおよび操作スイッチ６６からの入力に応じて各モータや印字ヘッド４０，消去ヘッド５０の駆動を制御する。なお、カードセンサ６５は装置内に取り込まれたリライタブルカードの位置を検出する為のセンサである。
【００３０】
本発明のカード処理装置の冷却動作を図４のクリーニング動作を例にとって説明する。図４はクリーニング動作に先立って実行される冷却動作およびクリーニング動作を表すフローチャートである。ホストコンピュータ１００からのコマンドや操作スイッチ６６からの指示によりクリーニング動作が指定されると、カード処理装置は通常処理モードからクリーニングモードに移行する。通常処理モードとは、印字データをホストコンピュータ１００から受信し、その印字データに従いカードに印字処理を行うモードである。カード処理装置が通常処理モードである場合に、リライタブルカードが挿入されると、カードを挿入口１０から取り込んで消去ヘッド５０と当接させて印字の消去を行った後、印字ヘッド４０により印字データに従った印字を行い、取込方向と逆方向に搬送してカード挿入口から排出する。
【００３１】
クリーニングモードに移行した場合、クリーニングカードＣ（図５）がカード処理装置に挿入されるまで待機（Ｓ１）する。カードが挿入されたら搬送モータ２８を駆動し、クリーニングカードＣを装置の一番奥側まで引き込む（Ｓ２）。次に印字ヘッド４０および消去ヘッド５０の内部に設けられたサーミスタにより、各ヘッドの温度をそれぞれ検出し、所定値以上か否か判断する（Ｓ３）。この所定値とは、各ヘッドの温度がクリーニングカードＣに悪影響を与えない温度を指し、本実施例では７０℃としている。そして、７０℃の場合は直ぐにクリーニング動作を実行する。一方、７０℃以上の場合は冷却動作（Ｓ４乃至Ｓ８）を実行する。
【００３２】
冷却動作では、７０℃以上と検出されたヘッドのヘッドカムを駆動し、ヘッドを搬送ローラと接触させる。本実施例では、例えば消去ヘッド５０のみ７０℃以上である場合には消去ヘッドカム５３のみを駆動して消去ヘッド５０を第３搬送ローラ２２と接触させる。両ヘッド共に７０℃以上である場合は、さらに印字ヘッドカム４５も駆動し、印字ヘッド４０を第２搬送ローラ２１と接触させる。両ヘッドを接触させた状態を図５に示す。
【００３３】
ヘッドと搬送ローラとが接触したら、その状態で搬送モータを駆動し、搬送ローラを回転させる（Ｓ５）。そして、ヘッドの温度を検出し、所定値未満に下がったか判断する（Ｓ６）。下がっていなければその状態を維持し、下がっていればヘッドカムを駆動してヘッドを搬送ローラから離間させる（Ｓ７）とともに搬送ローラの回転を停止（Ｓ８）する。
【００３４】
その後、クリーニング動作を実行（Ｓ９）して処理を終了する。クリーニング動作では、クリーニングカードＣと各ヘッドとを圧接して拭き取り動作を行う。この拭き取り動作実施中の状態を図６に示す。装置の奥側に引き込まれていたクリーニングカードＣは、クリーニング実行と同時に挿入口１０側に搬送されて、印字ヘッド４０および消去ヘッド５０の両方に接触可能な位置まで移動する。その後、各ヘッドカムを回転して印字ヘッド４０および消去ヘッド５０をクリーニングカードＣに接触させ、その状態で搬送モータ２８を正逆回転駆動することでヘッドの汚れをクリーニングカードＣで拭き取る。そして、拭き取りが終了したら印字ヘッド４０および消去ヘッド５０をクリーニングカードＣから離間し、クリーニングカードＣを排出する。
【００３５】
次に、本発明のカード処理装置のカバー開時の冷却動作を図７を用いて説明する。図７は外装カバーが開けられた時に実行される冷却動作を表すフローチャートである。外装カバースイッチ６により外装カバー３が開けられたことを検知した場合、サーミスタにより各ヘッドの温度をそれぞれ検出し、所定値以上か判断する（Ｓ２１）。所定値未満の場合は処理を終了し、所定値以上の場合は冷却動作を実行する。この所定値とは、作業者の作業を妨げない程度の温度を指し、本実施例では７０℃としている。
【００３６】
冷却動作では、７０℃以上が検出されたヘッドのヘッドカムを駆動し、ヘッドを搬送ローラと接触させる（Ｓ２２）。ヘッドと搬送ローラとが接触したら、その状態で搬送モータを駆動し、搬送ローラを回転させる（Ｓ２３）。この時、メカカバースイッチ１５によりメカカバー１３が開けられたか否かを監視し（Ｓ２４）、メカカバー１３が開けられたら搬送ローラを停止する（Ｓ２５）。その後、メカカバースイッチ１５によりメカカバー１３が閉じられたか検出し（Ｓ２６）、閉じられたら再度搬送ローラを回転させる（Ｓ２７）。Ｓ２４またはＳ２６の判断においてメカカバー１３が閉じられていれば、ヘッドの温度を検出し、７０℃未満に下がったか判断する（Ｓ２８）。下がっていなければ、さらに外装カバー３が閉じられているか判断し（Ｓ２９）、７０℃未満に下がったか、或いは外装カバー３が閉じられていたら搬送ローラの回転を停止（Ｓ３０）するとともにヘッドカムを駆動してヘッドを搬送ローラから離間させる（Ｓ３１）。Ｓ２８およびＳ２９において、７０℃以上であり、かつ外装カバー３が開いていると判断したらＳ２４に戻り、再度Ｓ２４以降の処理を行う。
【００３７】
本実施例の構成によれば、熱容量の大きいゴム製である搬送ローラにヘッドを接触させることで、ヘッドの熱が搬送ローラに伝わり、その結果、自然冷却よりも数倍の早さでヘッドを冷却することができる。また、新たな冷却部材を必要とせず、従来からカード処理装置に設けられている搬送ローラを用いて冷却動作を達成出来る為、コスト的な効果も大きい。さらに、搬送ローラにヘッドを接触させた状態で搬送ローラを駆動することで、常に冷却（放熱）した搬送ローラ表面をヘッドと接触させることが可能になり、この様にすればさらに短時間でヘッドを冷却することが可能になる。
【００３８】
また、印字あるいは消去処理を行った直後にクリーニングを実施する場合であっても、素早く冷却することが可能な為、使用者がクリーニング開始を待つ時間を短くすることが可能になる。さらに、リライタブルカードの搬送不良などが生じた場合や装置内部の清掃などの作業時には、使用者は先ず外装カバー３を開け、次にメカカバー１３を開けて搬送路１１をむき出しにしてから処理を行う事になるため、外装カバー３の開閉を判断して冷却することで、使用者がの作業性を向上することが出来る。
【００３９】
本発明によるカード処理装置は上述した実施の形態に限定されず、特許請求の範囲に記載した範囲で種々の変形や改良が可能である。例えば、消去ヘッド５０のみを冷却動作する様に構成しても良いし、印字ヘッド４０のみを冷却動作する様にしても良い。さらに、両ヘッドのいずれかが所定値以上の温度である場合に両方のヘッドを冷却動作する様に構成しても良い。また、やや効果は下がるもののヘッドと搬送ローラとの接触時に必ずしも搬送ローラを駆動する必要は無く、単にヘッドと搬送ローラとを接触させる構成としても良い。また、本実施例ではクリーニングモード移行時と外装カバー開時に冷却動作を行う構成を示したが、印字に先立って行っても良く、印字終了時に行っても良い。
【発明の効果】
【００４０】
以上説明したように本発明によれば、簡単な構成でサーマルヘッドを素早く冷却することが可能になるといった効果を奏する。
【図面の簡単な説明】
【図１】本発明の一実施例を示すカード処理装置の主要部を表す側断面図である。
【図２】本発明の一実施例を示すカード処理装置の電気的構成を表すブロック図である。
【図３】本発明の一実施例を示すカード処理装置において、外装カバー及びメカカバーを回動した状態を表す側断面図である。
【図４】本発明の一実施例のカード処理装置のクリーニング時の冷却動作を示すフローチャートである。
【図５】本発明の一実施例を示すカード処理装置において、ヘッドと搬送ローラとを圧接した状態を表す機構部の側断面図である。
【図６】本発明の一実施例を示すカード処理装置において、クリーニング動作における拭き取り状態を表す機構部の側断面図である。
【図７】本発明の一実施例のカード処理装置のカバー開時の冷却動作を示すフローチャートである。
【符号の説明】
３  外装カバー
２１  第２搬送ローラ
２２  第３搬送ローラ
４０  印字ヘッド
５０  消去ヘッド
６０  ＣＰＵ
Ｃ  クリーニングカード
【図１】
2004188922.tif 000003
【図２】
2004188922.tif 000004
【図３】
2004188922.tif 000005
【図４】
2004188922.tif 000006
【図５】
2004188922.tif 000007
【図６】
2004188922.tif 000008
【図７】
2004188922.tif 000009